(57)【要約】【課題】  通電機器の通電時間の計測をラダープログラムなどによらず行う。【解決手段】  ＰＬＣ１において、入出力メモリ１４は、入力メモリ部に接点型の入力デバイス１０１（接点）の通電状態を保持する接点デバイスＤＭを接点毎に有している。各接点デバイスＤＭに、接点が通電してから通電が終わるまでの時間を保持するスプリット時計カウンターＳＴ、通電中の時間の累積値を保持する累積時計カウンターＡＴ、接点が通電を開始したときの累積時計カウンターＡＴの値を保持する通電開始時累積時計保持レジスターＡＲ、接点が通電を開始した時刻を記憶する通電開始時刻レジスターＳＲ、接点が現在通電状態であるか否かを示すステータスを保持する通電ステータスＥＳなどのレジスターを付属させ、通電チェックプログラムＥＣＰによって、各レジスターに現在時刻や演算した時間を保持させる。これにより、通電機器を通電させる接点の累積時間が計測される。【選択図】  図１
2006031252.tif 000002
【特許請求の範囲】
【請求項１】
予め格納されたシーケンスプログラムにしたがって接点の状態を記憶する接点状態記憶手段を接点毎に備え、該接点状態記憶手段から取得した接点の状態に応じて通電機器の通電を制御する制御装置において、
現在時刻から接点の通電開始時刻を減算することにより接点の通電時間を計測する通電時間計測手段を備え、
前記各接点状態記憶手段は、前記通電時間計測手段によって計測された前記通電時間を記憶する通電時間記憶手段が付属することを特徴とする制御装置。
【請求項２】
前記接点状態記憶手段は、累積通電時間を保持する累積通電時間記憶手段が付属することを特徴とする請求項１に記載の制御装置。
【請求項３】
前記接点状態記憶手段は、接点の通電開始時に前記累積通電時間記憶手段に記憶された累積通電時間を記憶する通電開始時累積通電時間記憶手段が付属し、
前記累積通電時間記憶手段は、接点の通電中に、前記通電開始時累積通電時間記憶手段に記憶された接点の通電開始時における累積通電時間と、前記通電時間計測手段によって計測された通電時間とを加算した時間を記憶することを特徴とする請求項２に記載の制御装置。
【請求項４】
前記接点状態記憶手段から取得した接点の状態を表示するとともに、前記各記憶手段から取得した時間を表示する表示手段とを備えていることを特徴とする請求項１、２または３に記載の制御装置。
【請求項５】
前記制御装置はプログラマブル表示器であることを特徴とする請求項４に記載の制御装置。
【発明の詳細な説明】
【技術分野】
【０００１】
本発明は、ラダープログラムなどのシーケンスプログラムにしたがって制御動作を行なう制御装置に係り、詳しくは接点の通電時間を計測する機能を有する制御装置に関するものである。
【背景技術】
【０００２】
プログラマブルロジックコントローラ（以降、ＰＬＣと称する）などと呼ばれる産業用制御装置は、ユーザが作成したシーケンスプログラムにしたがって、シーケンス制御をはじめとする各種制御を実現する。一般に、ＰＬＣが制御対象とするターゲットシステムには、ＰＬＣに接続されるデバイスとしてモータやランプなどの通電機器が用いられることが多い。
【０００３】
このような通電機器は、動作できる限界が仕様として定められている。例えば、動作限界は、通電機器であれば通電時間で示される。このため、その通電時間の情報に基づいて、通電機器を交換するなどのメンテナンスを行うシステムが知られている（例えば、特許文献１）。特許文献１は、ＰＬＣの電源部が所定温度以上で使用された時間を計測することを開示している。具体的には、電源部の周囲温度が所定以上になるとサーマルリレーが作動することにより電源部が通電され、サーマルリレーの作動時間をタイマーで計測する。
【特許文献１】特開平１１−１７５１１２号公報（平成１１年７月２日公開）
【発明の開示】
【発明が解決しようとする課題】
【０００４】
特許文献１に開示された技術は、タイマーで時間計測するための詳細なプログラム処理は不明であるが、ここではＰＬＣが通常備えるタイマー機能を用いて時間計測する場合について考える。タイマー機能を用いた場合は、例えばラダープログラムで実現することになる。具体的には、接点がＯＮするとタイマーが作動するというタイマー回路をラダープログラムに組み込む必要がある。このような方法では、通電時間を計測する接点（通電機器）の数が多くなるほど、ラダープログラムにタイマー回路を組み込む作業が増加し、プログラム作成作業に多大の時間を要するという不都合がある。
【０００５】
本発明は、上記の問題点に鑑みてなされたものであり、通電機器の通電時間の計測をシーケンスプログラムによらず行うことができる制御装置を提供することを目的としている。
【課題を解決するための手段】
【０００６】
本発明に係る制御装置は、予め格納されたシーケンスプログラムにしたがって接点の状態を記憶する接点状態記憶手段を接点毎に備え、該接点状態記憶手段から取得した接点の状態に応じて通電機器の通電を制御する制御装置において、前記の課題を解決するために、現在時刻から接点の通電開始時刻を減算することにより接点の通電時間を計測する通電時間計測手段を備え、前記各接点状態記憶手段が、前記通電時間計測手段によって計測された前記通電時間を記憶する通電時間記憶手段が付属することを特徴としている。
【０００７】
上記の構成において、例えば、接点がＯＮすると、その状態が接点状態記憶手段に記憶され、その状態に応じて通電機器が通電され、接点がＯＦＦすると、その状態が接点状態記憶手段に記憶され、その状態に応じて通電機器の通電が停止する。このとき、通電時間計測手段は、接点がＯＮすることによって通電時間の計測を開始し、接点がＯＦＦすることによって通電時間の計測を終了する。また、通電時間記憶手段は計測された通電時間を記憶する。接点の通電時間は通電機器の通電時間であるので、通電時間記憶手段には電気機器の通電時間が記憶されていることになる。
【０００８】
このように、通電時間記憶手段が接点状態記憶手段に付属していることにより、通電時間計測手段で計測された各接点の通電時間が接点毎の通電時間記憶手段に記憶されていくので、ラダープログラムなどのシーケンスプログラムに通電時間計測のための変更を施す必要がない。
【０００９】
また、前記制御装置において、前記接点状態記憶手段は、累積通電時間を保持する累積通電時間記憶手段が付属することが好ましい。このような構成では、接点の通電と通電停止が繰り返されても、累積の通電時間が累積通電時間記憶手段に記憶されているので、接点の累積通電時間を把握することができる。
【００１０】
この制御装置において、前記接点状態記憶手段は、接点の通電開始時に前記累積通電時間記憶手段に記憶された累積通電時間を記憶する通電開始時累積通電時間記憶手段が付属し、前記累積通電時間記憶手段が、接点の通電中に、前記通電開始時累積通電時間記憶手段に記憶された接点の通電開始時における累積通電時間と、前記通電時間計測手段によって計測された通電時間とを加算した時間を記憶することが好ましい。このような構成では、接点の通電開始時の累積時間が通電開始時累積通電時間記憶手段に一旦記憶され、通電中には、累積通電時間記憶手段に、その累積時間に通電時間計測手段によって計測された通電時間が加算された値が記憶されるので、累積通電時間記憶手段に記憶される累積通電時間が更新されていく。
【００１１】
前記のいずれかの制御装置は、前記接点状態記憶手段から取得した接点の状態を表示するとともに、前記各記憶手段から取得した時間を表示する表示手段とを備えていることが好ましく、さらにプログラマブル表示器であることが好ましい。このような構成では、表示手段によって、接点の状態だけではなく、通電時間記憶手段、累積通電時間記憶手段、通電開始時累積通電記憶手段の各記憶手段から取得した時間を表示するので、接点の通電時間を容易に把握することができる。また、プログラマブル表示器が通常、接点の状態を表示する機能を通常有することから、制御装置がプログラマブル表示器であることにより、上記の時間を接点の状態と併せて表示することを容易に実現できる。
【発明の効果】
【００１２】
以上のように、本発明に係る制御装置において、計測された通電時間を通電時間記憶手段が接点状態記憶手段に付属しているので、接点状態記憶手段に各接点の通電時間を記憶する機能が付加されたことと等価になり、シーケンスプログラムを変更することなく、接点の通電時間、すなわち通電機器の通電時間を計測し、かつ保持することができる。したがって、本発明を採用することにより、効率的に通電機器の保守管理を行うことができるという効果を奏する。
【発明を実施するための最良の形態】
【００１３】
本発明の実施形態を図１ないし図４に基づいて説明すると、以下の通りである。
【００１４】
図１に示すように、本実施形態に係るＰＬＣ１（制御装置）は、ＣＰＵ１１、システムメモリ１２、プログラムメモリ１３、入出力メモリ１４およびＩ／Ｏ１５を備えている。
【００１５】
ＣＰＵ１１は、制御の中心部分であり、システムメモリ１２に格納される制御システムプログラムＣＳＰにしたがって、ユーザが作成したラダープログラムＬＰなどのシーケンスプログラムを実行（スキャン）することによって、Ｉ／Ｏ１５を介してデバイス１０１（スイッチ、センサなどの入力デバイス）から入力される信号に基づいて、制御指示や制御データをデバイス１０１（ランプ、モータ、アクチュエータなどの出力デバイス）に与えるといった演算処理や、入出力メモリ１４などに対するデータの書き込み／読み出しの制御などを行う。
【００１６】
システムメモリ１２は、上記の制御システムプログラムＣＳＰを記憶するためにＲＯＭなどから構成される。また、制御システムプログラムＣＳＰは、通電チェックプログラムＥＣＰを含んでいる。この通電チェックプログラムＥＣＰは、後述するように、接点の通電状態を監視し、接点の通電開始時刻と通電停止時刻とから接点の通電時間および累積通電時間を計測するための演算処理を行う。
【００１７】
プログラムメモリ１３は、上記のシーケンスプログラムとして例えばラダープログラムＬＰを記憶するためにフラッシュメモリなどから構成される。入出力メモリ１４は、デバイス１０１とやり取りする入出力データなどのデータを一時的に記憶するためにＲＡＭなどから構成される。また、ＰＬＣ１は、上記の各メモリ以外に、シーケンスプログラムの実行中における演算データなどのデータを一時的に記憶するためのＲＡＭなどからなるデータメモリを有している。
【００１８】
Ｉ／Ｏ１５は、入力回路および出力回路が一体的に設けられた装置であって、デバイス１０１に接続されるインタフェース機能を有する部分である。Ｉ／Ｏ１５は、これらのデバイス１０１との間で入出力されるデジタル信号またはアナログ信号を上記のＣＰＵ１１とやり取りする。
【００１９】
ここで、入出力メモリ１４についてより詳しく説明する。
【００２０】
入出力メモリ１４は、入力メモリ部と出力メモリ部とを有している。入力メモリ部は、デバイス１０１として備えられる入力デバイスの状態を記憶するレジスターを入力デバイスが接続できる端子数と同数備えている。出力メモリ部は、デバイス１０１として備えられる出力デバイスの状態を記憶するレジスターを出力デバイスが接続できる端子数と同数備えている。特に、入力メモリ部は、スイッチ、接点型のセンサなどの接点型の入力デバイス（以降、単に接点と称する）のＯＮ状態／ＯＦＦ状態を“１”または“０”の２値情報として格納できるレジスターを接点デバイスＤＭとして備える。
【００２１】
制御システムプログラムＣＳＰは、ラダープログラムＬＰにしたがって、接点デバイスＤＭに記憶された接点の状態（ＯＮ状態／ＯＦＦ状態）を最新の状態に書き替えるとともに、接点の状態に応じて出力メモリ部のレジスターに出力デバイスとしての通電機器の通電状態を書き替えて通電機器の通電を制御する。
【００２２】
また、入出力メモリ１４は、入力メモリ部に、接点デバイスＤＭと関連して、スプリット時計カウンターＳＴ、累積時計カウンターＡＴ、通電開始時累積時計保持レジスターＡＲ、通電開始時刻レジスターＳＲ、通電ステータスＥＳおよび累積時間リセット時刻保持レジスターＲＲを有している。
【００２３】
スプリット時計カウンターＳＴは、接点がＯＮ（通電）するタイミングで０にリセットされ、通電が終わるまでの時間を保持するレジスターである。累積時計カウンターＡＴは、通電中の時間の累積値を保持するレジスターである。
【００２４】
通電開始時累積時計保持レジスターＡＲは、接点が通電を開始したときの累積時計カウンターＡＴの値を保持するレジスターである。通電開始時刻レジスターＳＲは、接点が通電を開始した時刻を記憶するレジスターである。通電ステータスＥＳは、接点が現在通電状態であるか否かを示すステータス（通電状態：“１”，非通電状態：“０”）を保持するレジスターである。累積時間リセット時刻保持レジスターＲＲは、累積時計カウンターＡＴをリセットした時刻を保持するレジスターである。
【００２５】
上記の各レジスターは、具体的には、図２に示すように構成されている。接点デバイスＤＭは、接点アドレス（入力端子アドレス）Ｘ１，Ｘ２，Ｘ３，…，Ｘｎにそれぞれ１つずつ接点デバイスＤＭ１，ＤＭ２，ＤＭ３，…，ＤＭｎとして割り当てられている。スプリット時計カウンターＳＴ（ＳＴ１〜ＳＴｎ）、累積時計カウンターＡＴ（ＡＴ１〜ＡＴｎ）、通電開始時累積時計保持レジスターＡＲ（ＡＲ１〜ＡＲｎ）、通電開始時刻レジスターＳＲ（ＳＲ１〜ＳＲｎ）、通電ステータスＥＳ（ＥＳ１〜ＥＳｎ）および累積時間リセット時刻保持レジスターＲＲ（ＲＲ１〜ＲＲｎ）の各レジスターも同様に、接点アドレスＸ１，Ｘ２，Ｘ３，…，Ｘｎにそれぞれ１つずつ割り当てられている。入力メモリ部において各接点アドレスＸ１，Ｘ２，Ｘ３，…，Ｘｎに割り当てられるメモリ領域は、通常、接点デバイスＤＭ１，ＤＭ２，ＤＭ３，…，ＤＭｎとして利用されるが、制御システムプログラムＣＳＰの設定によって自由に使用できるので、本実施の形態では、各メモリ領域に上記のように各レジスターを割り当てている。
【００２６】
このように、接点デバイスＤＭは、上記のような時間・時刻情報を保持する各レジスターが付属することにより、通電時間計測機能を備える。また、接点デバイスＤＭに通電時間計測機能を付与するか否かは予めユーザによる設定が可能である。この設定においては、接点の通電形態に応じて、通電と認めるべき接点の状態もしく状態変化も設定する。例えば、ａ接点がＯＮしたときを通電と認めたり、センサの出力が“０”から“１”に変化したときを通電と認めたりすることである。
【００２７】
続いて、上記のように構成されるＰＬＣ１における通電チェックプログラムＥＣＰによる接点の通電時間計測の動作について図３のフローチャートを参照して説明する。
【００２８】
通電チェックプログラムＥＣＰは、制御システムプログラムＣＳＰがラダープログラムＬＰを１回スキャン（ラダースキャン）した後に実行される。
【００２９】
まず、接点が通電中であるか否かを判定する（Ｓ１）。このとき、全ての接点について通電時間計測機能付きの接点であるか通常の接点であるかをそれぞれの設定に基づいて判定する。また、通電時計機能付きの接点については、通電と認めるべき接点の状態や状態変化の設定に基づいて通電中か否かを判定する。
【００３０】
接点が通電中である場合、今までの通電の状態を通電ステータスＥＳに保持された値に基づいて判定する（Ｓ２）。今まで非通電中であると判定された場合、通電開始時刻レジスターＳＲに現在時刻をセットし（Ｓ３）、通電開始時累積時計保持レジスターＡＲに累積時計カウンターＡＴに現在保持されている累積通電時間をセットした後（Ｓ３）、通電ステータスＥＳの値を通電中の値に書き替える（Ｓ５）。
【００３１】
Ｓ２において、今まで通電中である、すなわち通電状態が継続していると判定された場合、現在時刻から通電開始時刻レジスターＳＲに保持された時刻を減じた値、すなわち現在の通電時間を演算して、スプリット時計カウンターＳＴの値をその通電時間に書き替える（Ｓ６）。そして、通電開始時累積時計保持レジスターＡＲに保持された値にＳ６で求めた通電時間を加算して、累積時計カウンターＡＴの値をその加算値に書き替える（Ｓ７）。
【００３２】
Ｓ１において、接点が非通電中である場合、通電ステータスＥＳの値を非通電中の値に書き替える（Ｓ８）。また、Ｓ５、Ｓ７またはＳ８のいずれかの処理が終了すると、通電チェックをする接点があるか否かを判定し（Ｓ９）、ない場合は通常のスキャンに戻り、ある場合は処理をＳ１に戻す。
【００３３】
ところで、上記のように各レジスターに保持された値は、ラダープログラム実行中に接点デバイスＤＭの要素として参照することができる。具体的には、ラダープログラムＬＰに“接点名．レジスター名”を組み込むことによって参照が可能となる。例えば、“開閉弁１．スプリット時計カウンター”の場合、開閉弁１が通電状態であるときに現在の通電時間としてスプリット時計カウンターＳＴの値が参照される。また、“開閉弁１．通電ステータス”の場合、開閉弁１の現在の通電状態として通電ステータスＥＳの値が参照される。もしくは、変数名を使用せずに直接指定する場合、“ＤＭ１．レジスター名”によっても参照が可能となる。
【００３４】
通電チェックプログラムＥＣＰは、累積時計カウンターＡＴをリセットする機能も有している。このリセットは、ラダープログラムＬＰによって実行される。具体的には、リセットを指示するための接点と、その接点が通電したときに実行されるリセット命令とが予め組み込まれたラダープログラムの実行中に接点（例えばスイッチ）がＯＮすると、通電チェックプログラムＥＣＰは、累積時計カウンターＡＴの値を０にリセットし、通電ステータスＥＳの値を非通電の値に書き替え、累積時計リセット時刻保持レジスターＲＲに接点がＯＮした現在時刻をセットする。
【００３５】
リセットの対象となる接点をラダープログラムＬＰにおいて指定しておくことにより、特定の通電時間計測機能付接点に対してリセットすることもできるし、全ての通電時間計測機能付接点に対して一括してリセットすることもできる。例えば、特定の接点をリセットする場合、“ＲＳＴＳＵＭ  開閉弁１”もしくは“ＲＳＴＳＵＭ  ＤＭ１”でリセットされ、一括して全接点をリセットする場合、“ＲＳＴＳＵＭＡ”でリセットされる。
【００３６】
以上のように、本実施の形態のＰＬＣ１は、通電チェックプログラムＥＣＰを備えるとともに、接点デバイスＤＭに各種の時間や時刻および通電状態の情報を保持するレジスターを付属させることにより、接点デバイスＤＭに接点の通電時間を計測する機能を持たせることができる。これにより、ラダープログラムＬＰに接点の時間計測のためのプログラムを組み込むことなく、接点の通電時間を計測することができ、ラダープログラムＬＰの作成に多大な時間を要するという不都合を回避できる。
【００３７】
本ＰＬＣ１によれば、接点が通電したときにモータやランプなどの出力デバイスが通電するようにラダープログラムＬＰが作成されておれば、接点の累積通電時間すなわち出力デバイスの累積通電時間を計測することができる。これにより、出力デバイスとしての通電機器の交換時期を判定することができる。また、累積通電時間により、通電機器の稼働率もわかる。
【００３８】
続いて、本発明の他の実施形態について説明する。
【００３９】
図４に示すように、本実施形態に係るプログラマブル表示器２は、ＣＰＵ２１、システムメモリ２２、プログラムメモリ２３、入出力メモリ２４、Ｉ／Ｏ２５、表示用メモリ２６、ＶＲＡＭ２７、ディスプレイ２８、グラフィックコントローラ２９、タッチパネル３０およびタッチパネルコントローラ３１を備えている。制御装置としてのプログラマブル表示器は、ＣＰＵ２１、システムメモリ２２、プログラムメモリ２３、入出力メモリ２４、Ｉ／Ｏ２５などを備えることにより、一般のプログラマブル表示器としての機能だけではなく、ＰＬＣとしての機能を備える。
【００４０】
ＣＰＵ２１は、前述のＣＰＵ１１のＰＬＣ制御機能を有する他、表示用メモリ２６に格納された表示制御システムプログラムにしたがって、プログラマブル表示器２の各部の動作を制御する。
【００４１】
システムメモリ２２、プログラムメモリ２３および入出力メモリ２４は、前述のシステムメモリ１２、プログラムメモリ１３および入出力メモリ１４とそれぞれ同等の機能を有するメモリである。また、Ｉ／Ｏ２５は、前述のＩ／Ｏ１５と同等の機能を有する回路である。
【００４２】
表示用メモリ部２６は、ＤＲＡＭ、ＦＥＰＲＯＭ(Flash Erasable and Programmable ROM)、ＳＲＡＭ等のメモリを含んでいる。ＤＲＡＭは、主に、表示制御などの演算処理時の作業用に用いられる他、入出力メモリ２４との間でやり取りされるデータの一時的な記憶に用いられる。ＳＲＡＭは、入出力メモリ２４から得られたデータをロギングしたり、入出力メモリ２４に与える設定値データ（レシピデータ）を記憶したりするために用いられる。ＦＥＰＲＯＭは、書き替え可能な読み出し専用のフラッシュメモリであり、一般のパーソナルコンピュータにおけるハードディスクドライブの役割を果たす。フラッシュメモリは、可動部を持たず、かつ衝撃に強いので、劣悪な周囲環境でも安定して動作する。
【００４３】
また、上記のＦＥＰＲＯＭは、表示制御システムプログラムと、ユーザ画面データとをそれぞれ格納するエリアを有している。表示制御システムプログラムは、画像表示制御を行うための基本機能を実現するためのプログラムである。この表示制御システムプログラムは、接点デバイスＤＭから取得した接点の状態をユーザ画面上に表示するとともに、スプリット時計カウンターＳＴ、累積時計カウンターＡＴ、通電開始時累積時計保持レジスターＡＲ、通電開始時刻レジスターＳＲ、通電ステータスＥＳおよび累積時間リセット時刻保持レジスターＲＲに保持された各値を表示する。ユーザ画面のデータであるユーザ画面データは、図示しない作画エディタによって作成されて、ＦＥＰＲＯＭにダウンロードされている。
【００４４】
ＶＲＡＭ２７は、ディスプレイ２９に表示される画面のイメージを一時的に保持するメモリであり、ＦＥＰＲＯＭからのユーザ画面データのイメージを水平方向に表示される順にドットデータとして格納している。
【００４５】
ディスプレイ２９は、液晶パネルやＥＬパネルのような平板型表示素子によって構成されている。グラフィックコントローラ２８は、ＶＲＡＭ２７に展開された画面のイメージを、ディスプレイ２９に描画するドライバソフトウェアである。タッチパネル３０は、ディスプレイ２９の表示画面上で入力を行うために設けられており、アナログ抵抗膜式タッチパネルなどが用いられる。タッチパネルコントローラ３０は、タッチパネル３０の出力電圧を入力位置情報に変換してＣＰＵ２１に出力する。上記のディスプレイ２９およびタッチパネル３０によって、表示パネルが構成されている。
【００４６】
上記のように構成されるプログラマブル表示器２においても、前述のＰＬＣ１と同様、通電チェックプログラムＥＣＰが実行されることにより、接点デバイスＤＭに付属する各レジスターに各種の時間や時刻が保持され、通電時間や累積通電時間が計測される。これにより、前述のＰＬＣ１と同様、ラダープログラムＬＰに接点の時間計測のためのプログラムを組み込むことなく、接点の通電時間を計測することができ、ラダープログラムＬＰの作成に多大な時間を要するという不都合を回避できる。
【００４７】
また、プログラマブル表示器２は、表示制御システムプログラムによって、入出力メモリ２４に保持されているデバイス１０１の状態を表示する機能を有することから、ユーザ画面データに入出力メモリ２４において参照するレジスター名を付属させることにより、ユーザ画面上で接点の通電時間や累積通電時間を表示させることができる。
【００４８】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４９】
本発明の制御装置は、入出力メモリにおける接点の状態を記憶する領域に接点の通電時間を計測する機能を付加することにより、ラダープログラムによらず接点の通電時間を計測することができるので、接点の通電により通電させる通電機器のメンテナンスに有効に利用することが可能となる。
【図面の簡単な説明】
【００５０】
【図１】本発明の実施形態に係るＰＬＣの構成を示すブロック図である。
【図２】上記ＰＬＣにおける入出力メモリの要部の構成を示す図である。
【図３】上記ＰＬＣにおける接点の通電時間計測の手順を示すフローチャートである。
【図４】本発明の他の実施形態に係るプログラマブル表示器の構成を示す図である。
【符号の説明】
【００５１】
１    ＰＬＣ（制御装置）
２    プログラマブル表示器（制御装置）
１４    入出力メモリ
２４    入出力メモリ
２６    表示用メモリ（表示手段）
１０１    デバイス（接点，通電機器）
ＥＣＰ    通電チェックプログラム（通電時間計測手段）
ＤＭ      接点デバイス（接点状態記憶手段）
ＳＴ      スプリット時計カウンター（通電時間記憶手段）
ＡＴ      累積時間カウンター（通電累積時間記憶手段）
ＡＲ      通電開始時累積時計保持レジスター（通電開始時累積通電時間記憶手段）
ＳＲ      通電開始時刻レジスター
ＥＳ      通電ステータス
ＲＲ      累積時計リセット時刻保持レジスター
【図１】
2006031252.tif 000003
【図２】
2006031252.tif 000004
【図３】
2006031252.tif 000005
【図４】
2006031252.tif 000006